(57)【特許請求の範囲】
【請求項１】
基板に枢着したカムを回動させることにより、前記カムのカム面を、被締付体の締付面に当接させて、被締付体を締め付けたり、緩めたりしうるようにしたカム式締付装置において、
前記カムを可撓性材料により形成するとともに、前記カム面をカムのコーナー部から側端に至る外周に形成し、かつ前記コーナー部におけるカム面より内側の部分に、一端がコーナー部の一方の側縁に開口する所要深さの切り込みを設けることにより、カム面が形成された部分を可撓片とし、この可撓片の先端部を、切り込みのある方に湾曲するほぼＬ字状としたことを特徴とするカム式締付装置。
【請求項２】
基板に枢着したカムを回動させることにより、前記カムのカム面を、被締付体の締付面に当接させて、被締付体を締め付けたり、緩めたりしうるようにしたカム式締付装置において、
前記カムを可撓性材料により形成するとともに、前記カム面をカムのコーナー部から側端に至る外周に形成し、かつ前記コーナー部におけるカム面より内側の部分に、一端がコーナー部の一方の側縁に開口する所要深さの切り込みを設けることにより、カム面が形成された部分を可撓片とし、さらに、前記カムを、中央部が基板に枢着された横長のほぼ長方形とし、その上部両側のコーナー部にカム面及び切り込みを左右対称に設け、かつカムの中央下部に、下方を向く操作レバーを設けたことを特徴とするカム式締付装置。
【請求項３】
基板に枢着したカムを回動させることにより、前記カムのカム面を、被締付体の締付面に当接させて、被締付体を締め付けたり、緩めたりしうるようにしたカム式締付装置において、
前記カムを可撓性材料により形成するとともに、前記カム面をカムのコーナー部から側端に至る外周に形成し、かつ前記コーナー部におけるカム面より内側の部分に、一端がコーナー部の一方の側縁に開口する所要深さの切り込みを設けることにより、カム面が形成された部分を可撓片とし、さらに、前記基板に突部を設け、この突部とカムとの間に被締付体を挾んで締め付けるようにしたことを特徴とするカム式締付装置。
【請求項４】
カムを、中央部が基板に枢着された横長のほぼ長方形とし、その上部両側のコーナー部にカム面及び切り込みを左右対称に設け、かつカムの中央下部に、下方を向く操作レバーを設けた請求項１記載のカム式締付装置。
【請求項５】
基板に突部を設け、この突部とカムとの間に被締付体を挾んで締め付けるようにした請求項１、２、４のいずれかに記載のカム式締付装置。
【請求項６】
机の後部に設けた左右方向を向く連結板の後面に、左右方向を向く係止溝を設け、この係止溝に、間仕切等のパネルの前面に突設した係止部材を係止し、かつ前記パネルの前面における、前記係止部材を係止溝に係止したときの連結板の下端より下方となる部位に、請求項１〜５のいずれかに記載のカム式締付装置を設け、そのカム面により、連結板の下縁を上方に向けて締め付けて、パネルを連結板に取り付けるようにしたことを特徴とするパネルの支持構造。
【請求項７】
係止溝を、その開口の少なくとも下縁に上向き突条を設けたものとし、かつ係止部材を、段付ピンとして、それを前記係止溝における上向き突条の上端部に係止させた請求項６記載のパネルの支持構造。
【請求項８】
連結板の後面に、上下２条の係止溝を設け、かつそれに対応するパネルの前面に、各係止溝に係止しうる上下２段の係止部材を設けた請求項６または７記載のパネルの支持構造。
【発明の詳細な説明】
【０００１】
【発明の属する技術分野】
本発明は、カムを用いた締付装置、及びその締付装置を用いたパネルの支持構造に関する。
【０００２】
【従来の技術】
従来のカム式の締付装置は、カムが剛体であるため、カムと被締付体との位置関係がわずかでも狂うと、被締付体が過剰に締め付けられて、破損したり、逆にカムが緩んで、十分な締付力が得られなかったりすることがある。
【０００３】
【発明が解決しようとする課題】
本発明は、従来の技術が有する上記のような問題点に鑑み、被締付体を、常に適度の締付力をもって安定して締め付けることができるとともに、構造が簡単で、安価に製造でき、しかも使い勝手のよいカム式締付装置と、それを用いた、簡便で、着脱作業が容易なパネルの支持構造を提供することを目的としている。
【０００４】
【課題を解決するための手段】
本発明によると、上記課題は次のようにして解決される。
(１)  基板に枢着したカムを回動させることにより、前記カムのカム面を、被締付体の締付面に当接させて、被締付体を締め付けたり、緩めたりしうるようにしたカム式締付装置において、前記カムを可撓性材料により形成するとともに、前記カム面をカムのコーナー部から側端に至る外周に形成し、かつ前記コーナー部におけるカム面より内側の部分に、一端がコーナー部の一方の側縁に開口する所要深さの切り込みを設けることにより、カム面が形成された部分を可撓片とし、この可撓片の先端部を、切り込みのある方に湾曲するほぼＬ字状とする。
【０００５】
(２)  基板に枢着したカムを回動させることにより、前記カムのカム面を、被締付体の締付面に当接させて、被締付体を締め付けたり、緩めたりしうるようにしたカム式締付装置において、前記カムを可撓性材料により形成するとともに、前記カム面をカムのコーナー部から側端に至る外周に形成し、かつ前記コーナー部におけるカム面より内側の部分に、一端がコーナー部の一方の側縁に開口する所要深さの切り込みを設けることにより、カム面が形成された部分を可撓片とし、さらに、前記カムを、中央部が基板に枢着された横長のほぼ長方形とし、その上部両側のコーナー部にカム面及び切り込みを左右対称に設け、かつカムの中央下部に、下方を向く操作レバーを設ける。
【０００６】
(３)  基板に枢着したカムを回動させることにより、前記カムのカム面を、被締付体の締付面に当接させて、被締付体を締め付けたり、緩めたりしうるようにしたカム式締付装置において、前記カムを可撓性材料により形成するとともに、前記カム面をカムのコーナー部から側端に至る外周に形成し、かつ前記コーナー部におけるカム面より内側の部分に、一端がコーナー部の一方の側縁に開口する所要深さの切り込みを設けることにより、カム面が形成された部分を可撓片とし、さらに、前記基板に突部を設け、この突部とカムとの間に被締付体を挾んで締め付けるようにする。
【０００７】
(４)  上記(１)項において、カムを、中央部が基板に枢着された横長のほぼ長方形とし、その上部両側のコーナー部にカム面及び切り込みを左右対称に設け、かつカムの中央下部に、下方を向く操作レバーを設けた請求項１記載のカム式締付装置。
【０００８】
(５)  上記(１)、(２)、(４)項のいずれかにおいて、基板に突部を設け、この突部とカムとの間に被締付体を挾んで締め付けるようにする。
【０００９】
(６) パネルの支持構造において、机の後部に設けた左右方向を向く連結板の後面に、左右方向を向く係止溝を設け、この係止溝に、間仕切等のパネルの前面に突設した係止部材を係止し、かつ前記パネルの前面における、前記係止部材を係止溝に係止したときの連結板の下端より下方となる部位に、上記(１)〜(５)項のいずれかのカム式締付装置を設け、そのカム面により、連結板の下縁を上方に向けて締め付けて、パネルを連結板に取り付けるようにする。
【００１０】
(７) 上記(６)項において、係止溝を、その開口の少なくとも下縁に上向き突条を設けたものとし、かつ係止部材を、段付ピンとして、それを前記係止溝における上向き突条の上端部に係止させる。
【００１１】
(８)  上記(６)または(７)項において、連結板の後面に、上下２条の係止溝を設け、かつそれに対応するパネルの前面に、各係止溝に係止しうる上下２段の係止部材を設ける。
【００１２】
【発明の実施の形態】
図１〜図６は、本発明のカム式締付装置の一実施形態を用いてパネルを支持させた机を示す。
この机(１)は、前後方向を向く左右１対の支持杆(２)(２)の下部に、前部脚杆(３)と後部脚杆(４)とを連結し、左右の支持杆(２)(２)の中間部同士を、左右方向を向く前部連結杆(５)をもって連結するとともに、両支持杆(２)(２)をもって天板(６)の両側部を支持し、かつ天板(６)の後端より後方に突出する両支持杆(２)(２)の後端部により、オプション部品取付板としての機能を有する連結板(７)の両端部を、その前面が天板(６)の後端より後方に離間するようにして支持されている。
【００１３】
図２及び図３に示すように、連結板(７)の前面には、左右方向を向き、かつ前面の開口の下縁に上向き突条(８)を有する上下２段の係止溝(９)(９)が、連結板(７)の全長にわたって形成されている。
【００１４】
また、連結板(７)の後面には、左右方向を向き、かつ後面の開口の上下の縁に互いに対向する突条(10)(11)を有する上下２段の係止溝(12)(12)が設けられている。
【００１５】
これらの前後の係止溝(９)(12)には、次に詳細に説明する間仕切用または目隠し用のパネル(13)だけでなく、例えば机上の電気機器等の配線ケーブル類を収容する配線ダクト、天板(６)と連結板(７)との間の空間(14)の上方を閉塞するカバー、天板(６)の下方の空間の後部を覆う幕板、その他のオプション部品（いずれも図示略）を、必要に応じて装着することができる。
【００１６】
図１〜図４に示すように、パネル（後述するカム式締付装置の基板となる）(13)の前面両側部には、連結板(７)の後面における上下の係止溝(12)の下方の突条(11)にそれぞれ係止するようにした係止部材をなす上下１対ずつの段付ピン(15)(15)が突設されている。
【００１７】
各段付ピン(15)における拡径頭部(15a)の直径は、各係止溝(12)における上下に対向する突条(10)(11)の先端間の距離より小とし、また拡径頭部(15a)に続く縮径軸部(15b)の長さは、突条(11)の前後方向の厚さとほぼ同一か若干大とし、縮径軸部(15b)に続く雄ねじ部(15c)をパネル(13)の前面に螺着して、上下及び左右の段付ピン(15)における各拡径頭部(15a)を、各係止溝(12)における上下の突条(10)(11)の先端間を通して、係止溝(12)の奥部にほぼ同時に挿入し、次いでパネル(13)をわずかに下方に移動させて、縮径軸部(15b)を突条(11)の上端に当接させることにより、パネル(13)は連結板(７)の後面に、ほぼ垂直をなすようにして係止され、かつ保持される。
【００１８】
なお、段付ピン(15)に、鍔付スリーブ（図示略）を回転自在に外嵌して、それを係止溝(12)の下方の突条(11)の上縁に係止させ、鍔付スリーブをローラとして、突条(11)の上縁に沿って転動させ、パネル(13)を左右方向に円滑に移動しうるようにしてもよい。
【００１９】
各段付ピン(15)を対応する係止溝(12)の下方の突条(11)に係止したとき、連結板(７)の下端より下方でかつその下端に近接するパネル(13)の前面の左右２箇所には、カム式締付装置（以下単に締付装置という）(16)がそれぞれ設けられている。
【００２０】
各締付装置(16)は、可撓性を有する硬質合成樹脂材料よりなるカム(17)を備えている。このカム(17)は、ほぼ横長の長方形の基部(18)の中央が、段付ねじ(19)をもってパネル(13)の前面に枢着され、基部(18)の上部両側のコーナー部から両側端にかけての外周に、先端部が山形をなすカム面(20)が形成され、かつ各コーナー部におけるカム面(20)より内側の部分に、一端がコーナー部の上縁に開口し、かつ下方に向かって切り込まれた所要深さの切り込み(21)を設けることにより、カム面(20)が形成された部分を可撓片(22)としている。
【００２１】
また、左右の可撓片(22)の先端部は、切り込み(21)のある方になだらかに湾曲して、切り込み(21)の上端開口部を覆う屈曲部(22a)としてある。
基部(18)の中央下部には、下方を向く操作レバー(23)が設けられている。
【００２２】
段付ねじ(19)の中心からカム(17)の基部(18)の左右の側縁までの距離(D1)は、パネル(13)を上述のようにして係止溝(12)に係止させたときの、段付ねじ(19)の中心から連結板(７)の下端までの距離(D2)とほぼ同一とし、また段付ねじ(19)の中心から、左右の可撓片(22)(22)の上端同士を結ぶ直線(Ｌ)までの距離(D3)は、距離(D1)より、段付ピン(15)における拡径段部(15a)の半径と縮径軸部(15b)の半径との差の距離(D4)を引いた長さ（D1−D4）より小としてある。
【００２３】
したがって、カム(17)を、図４に示すように、操作レバー(23)が真下を向く解除位置としているときは、上下の段付ピン(15)を対応する係止溝(12)の下方の突条(11)に自由に着脱することができ、この状態から、操作レバー(23)を、左右いずれかの方向にほぼ９０度回動させると、その途中で、図５に示すように、左右いずれかのコーナー部（図５図示のものは右方のコーナー部）におけるカム面(20)の山形部が連結板(７)の下縁に圧接し、可撓片(22)が段付ねじ(19)の中心に向かって最も撓曲した死点を通過した後、図６に示すように、基部(18)の側面及び可撓片(22)の側面により形成されるカム面(20)の直線部が、連結板(７)の下縁に密接した締付位置で安定して停止し、各段付ピン(15)とカム(17)とにより、連結板(７)の一部を上下から確実に挾んで、パネル(13)はほぼ垂直状態で、連結板(７)に、脱落不能として、確実に支持される。
【００２４】
操作レバー(23)を、上述と逆方向に９０度回動させて、図４に示す元の解除位置に戻すと、各段付ピン(15)を係止溝(12)から離脱させて、パネル(13)を連結板(７)から簡単に外すことができる。
【００２５】
なお、カム(17)のカム面(20)の形状を適宜変更することにより、連結板(７)の締め付け態様や締付位置における締付力を変更することができる。
【００２６】
上述の例では、連結板(７)が被締付体をなし、かつパネル(13)が締付装置(16)における基板をなし、この基板であるパネル(13)に突設した段付ピン(15)とカム板(17)との間に、被締付体である連結板(７)を挾んで締め付けるようにしたが、本発明の締付装置の用途は、これのみに限るものではない。
【００２７】
例えば、図７及び図８に示すように、ボール盤等の機械加工装置における作業台(30)を、締付装置(31)における基板とし、その上面一側部に突条（突部）(32)を設けるとともに、その突条(32)から所要距離だけ離間した作業台(30)上に、上述と同様のカム(17)を設け、上記突条(32)とカム(17)との間に、被締付体である板状のワーク(33)を挾んで締め付けて固定するようにすることができる。
【００２８】
なお、図１〜図６に示す実施形態におけるのと同一の部材には、同一の符号を付して図示するに止め、それらについての詳細な説明は省略する。
【００２９】
また、本発明のカム式締付装置は、上記の他にも、例えば回転式窓を閉止状態で窓枠に対して締め付ける締付装置としたり、あらゆる締付装置に適用することができる。
【００３０】
【発明の効果】
請求項１記載の発明によると、次の(ａ)および(ｂ)の効果を奏することができる。
(ａ) カムに切り込みを設けたことにより、可撓片を簡単に形成することができるとともに、可撓片の外側にカム面を形成したことにより、カム面により被締付体を締め付ける際に、過剰に締め付けて、被締付体を破損したりするおそれがなく、常に適度の締付力で被締付体を締め付けることができる。
また、カムを簡単な一体構造のものとすることができるとともに、合成樹脂材料等により、容易に製造することができる。
(ｂ)  カムの回動時に、可撓片の先端部が被締付体に円滑に摺接し、可撓片が外側に開いたり、または可撓片の先端部が被締付体に食い込んだりするのを防止することができる。
また、可撓片が最も撓んだとき、その先端部等が切り込みの開口部の対向縁に当接して、それ以上の可撓片の撓みを阻止し、可撓片の折損等を未然に防止することができる。
【００３１】
請求項２記載の発明によると、上記(ａ)の効果に加えて、次の(ｃ)の効果を奏することができる。
(ｃ)  操作レバーを、左右いずれの方向に回動させても、同様の作用を生じさせることができるので、使い勝手がよい。
【００３２】
請求項３記載の発明によると、上記(ａ)の効果に加えて、次の(ｄ)の効果を奏することができる。
(ｄ)  構造が簡単で、締め付け作業が容易な締付装置を提供することができる。
【００３３】
請求項４記載の発明によると、上記(ａ)〜(ｃ)のすべての効果を奏することができる。
【００３４】
請求項５記載の発明によると、上記(ａ)の効果と、上記(ｂ)または／および(ｃ)の効果とに加えて、上記(ｄ)の効果を奏することができる。
【００３５】
請求項６記載の発明によると、係止部を連結板の後面における係止溝に係止させた後、締付装置のカムを回動させて、係止部材とカムとの間に連結板の一部を挾みつけることにより、パネルを机の後方に、ねじ等を用いることなく、簡単かつ確実に装着することができる。また、パネルを簡単に連結板から外すこともできる。
【００３６】
請求項７記載の発明によると、係止部材を簡単な構造とすることができるとともに、それを連結板の係止溝に簡単に着脱することができる。
【００３７】
請求項８記載の発明によると、パネルを上下２箇所で連結板に係止させることができるので、パネルを、特に前後方向に倒れないように、確実に支持することができる。
【図面の簡単な説明】
【図１】  本発明のカム式締付装置の一実施形態を用いてパネルを天板の後方に支持させた机の分解斜視図である。
【図２】  同じく、後部の拡大縦断側面図である。
【図３】  同じく、パネルを机に取り付ける前の状態を示す、図２と同様の縦断側面図である。
【図４】  図３のIV−IV線矢視図である。
【図５】  カムを死点まで回動させたときの正面図である。
【図６】  カムを締付位置まで回動させたときの正面図である。
【図７】  本発明のカム式締付装置の他の実施形態の平面図である。
【図８】  図７のVIII−VIII線に沿う縦断側面図である。
【符号の説明】
(１)机
(２)支持杆
(３)前部脚杆
(４)後部脚杆
(５)前部連結杆
(６)天板
(７)連結板
(８)上向き突条
(９)係止溝
(10)(11)突条
(12)係止溝
(13)パネル（基板）
(14)空間
(15)段付ピン（係止部材）
(15a)拡径頭部
(15b)縮径軸部
(15c)雄ねじ部
(16)カム式締付装置
(17)カム
(18)基部
(19)段付ねじ
(20)カム面
(21)切り込み
(22)可撓片
(22a)屈曲部
(23)操作レバー
(30)作業台（基板）
(31)締付装置
(32)突条（突部）
(33)ワーク（被締付体）
(D1)〜(D4)距離
(Ｌ)直線
【図１】
0003933913.tif 000002
【図２】
0003933913.tif 000003
【図３】
0003933913.tif 000004
【図４】
0003933913.tif 000005
【図５】
0003933913.tif 000006
【図６】
0003933913.tif 000007
【図７】
0003933913.tif 000008
【図８】
0003933913.tif 000009